(57)【要約】  患者の眼鏡レンズの処方における反射防止（ＡＲ）コーティングの効果を、患者にデモンストレーションするための装置、及び方法である。この装置は、屈折体、又は屈折体のための後付キットを備え、少なくとも度の強い球面レンズと度の弱い球面レンズとが、高い屈折率（ＩＲ）を有して設けられているとともに、高い光透過（ＬＴ）率と低い表面積あたりの反射（ＲＰＳ）率とを生じる反射防止コーティングを施されていることを特徴とする。さらに、この装置は、屈折体の観察管を有して目視での位置合わせで着脱可能に設置可能な、少なくとも１つのフィルタを含んでいる。フィルタは、度の強い球面レンズと度の弱い球面レンズとのいずれかと組み合わせて観察管と位置合わせされて配置されたときに、ＡＲコーティング処理無しの患者の眼鏡レンズに使用されるレンズに対応する正味のＬＴ値及び正味のＰＲＳ値を実現する、ＩＲ値、ＬＴ値、及びＰＲＳ値を有するように選択されている。
2008513843.tif 000002
【特許請求の範囲】
【請求項１】
（ａ）左目用の器具及び右目用の器具であって、それぞれの目用の器具が、
（ｉ）ハウジングと、
（ｉｉ）前記ハウジングを貫通する観察管と、
（ｉｉｉ）第１及び第２のレンズ担持円板と、
を含み、
前記第１のレンズ担持円板は１組の度の弱い球面レンズを支持し、前記第２のレンズ担持円板は１組の度の強い球面レンズを支持し、前記第１及び第２のレンズ担持体によって支持された前記レンズのそれぞれは、反射防止〈ＡＲ〉コーティングを施されたレンズ材料からなり、前記ＡＲコートされたレンズ材料はＡＲコートされた状態の光透過値及びＡＲコートされた状態の屈折〈ＰＲＳ〉値を生成し、前記第１及び第２のレンズ担持円板は軸の周りに回転可能であり、前記ＡＲコートされたレンズは、前記観察管と同軸に視覚的位置合わせされた状態でそれぞれ選択的に連続して回転可能である、左目用の器具及び右目用の器具と、
（ｂ）前記チューブと視覚的位置合わせされた状態で着脱可能に設置可能な少なくとも１つのフィルタであって、前記フィルタは、視覚的位置合わせされた前記レンズのいずれかの組み合わせを有する前記観察管に視覚的位置合わせされた状態に配置されたときに、ＡＲコーティング処理の無い前記レンズ材料に対応する既知のＬＴ値及び既知のＰＲＳ値に実質的に対応する、正味のＬＴ値及び正味のＰＲＳ値を生成するように選択された、フィルタＩＲ値、フィルタＬＴ値、及びフィルタＰＲＳ値を有するフィルタと、
を備える屈折体。
【請求項２】
前記それぞれの目用の器具は、予備レンズ担持円板をさらに備え、前記少なくとも１つのフィルタは、前記予備レンズ担持円板のセルの中に配置され、前記予備レンズ担持円板は軸の周りに回転可能であり、前記第１のフィルタは、前記観察管と同軸に視覚的位置合わせされた状態へ回転可能であることを特徴とする請求項１に記載の屈折体。
【請求項３】
前記第１及び第２のレンズ担持円板の前記ＡＲコートされたレンズは、約５５０ｎｍの光の波長で、約９８％〜約９９％の範囲のＬＴ値、及び約０．３％〜約０．９％の範囲のＰＲＳ値を有することを特徴とする請求項２に記載の屈折体。
【請求項４】
前記予備レンズ担持円板の前記少なくとも１つの第１のフィルタは、約５５０ｎｍの光の波長で、約８９％のフィルタＬＴ値及び約５％のフィルタＰＲＳ値を有することを特徴とする請求項３に記載の屈折体。
【請求項５】
前記予備レンズ担持円板の前記少なくとも１つの第１のフィルタは、約５５０ｎｍの光の波長で、約８７％のフィルタＬＴ値及び約６％のフィルタＰＲＳ値を有することを特徴とする請求項３に記載の屈折体。
【請求項６】
前記予備レンズ担持円板の前記少なくとも１つの第１のフィルタは、約５５０ｎｍの光の波長で約９２％のフィルタＬＴ値及び約４％のフィルタＰＲＳ値を有することを特徴とする請求項３に記載の屈折体。
【請求項７】
前記予備レンズ担持円板は、第２及び第３のフィルタをさらに含み、前記第２のフィルタは約５５０ｎｍの光の波長で、約８７％のフィルタＬＴ値及び約６％のフィルタＰＲＳ値を有し、前記第３のフィルタは約５５０ｎｍの光の波長で、約９２％のフィルタＬＴ値及び約４％のフィルタＰＲＳ値を有することを特徴とする請求項４に記載の屈折体。
【請求項８】
左目用の器具及び右目用の器具とを有するタイプの屈折体用の後付キットであって、それぞれの前記器具は、ハウジング、該ハウジングを貫通する観察管、度の弱い球面レンズ担持円板、及び度の強いレンズ担持円板を含み、前記度の弱い球面レンズ担持円板、度の強いレンズ担持円板、及び予備レンズ担持円板は、前記観察管と同軸に視覚的位置合わせされた状態に選択的に、連続して回転可能なセルを有し、
前記後付キットは、
前記屈折体の度の弱い球面レンズ担持円板と実質的に同一の第１のレンズ担持円板であって、該第１のレンズ担持円板は複数の度の弱い球面レンズ及びアパーチャを支持するセルを有する、第１のレンズ担持円板と、
前記屈折体の度の強い球面レンズ担持円板と実質的に同一の第２のレンズ担持円板であって、該第２のレンズ担持円板は複数の度の強い球面レンズ及びアパーチャを支持するセルを有する、第２のレンズ担持円板と、
前記観察管と視覚的位置合わせされた状態に着脱可能に配置可能な第１のフィルタと、を備え、
前記度の弱い球面レンズ及び前記度の強い球面レンズはＡＲコーティングを有するレンズ材料で作られており、このＡＲコーティングによって前記ＡＲコートされたレンズ材料はＡＲコートされた状態のＬＴ値及びＡＲコートされた状態のＰＲＳ値を生成し、
フィルタ材料から作られた前記第１のフィルタは、前記第１及び第２のレンズ担持円板のいずれかのセルと同軸に視覚的位置合わせされるとともに、組み合わされた状態で配置されたときに、前記ＡＲコーティングの無い前記レンズ材料の既知のＬＴ値及びＰＲＳ値に実質的に対応する正味のＬＴ値及び正味のＰＲＳ値を、前記観察管を通じて生成するように選択されたフィルタＩＲ値、フィルタＬＴ値、及びフィルタＰＲＳ値を有していることを特徴とする後付キット。
【請求項９】
前記屈折体は、予備レンズ担持円板をさらに含み、前記後付キットは、前記屈折体の予備レンズ担持円板と実質的に同一な第３のレンズ担持円板を備え、該第３のレンズ担持円板は、前記第１のフィルタを支持する少なくとも１つのセルを有していることを特徴とする請求項８に記載の後付キット。
【請求項１０】
前記ＡＲコートされたレンズ材料は、約５５０ｎｍの光の波長で、約９８％〜約９９％の範囲のＡＲコートされたＬＴ値、及び約０．３％〜約０．９％の範囲のＡＲコートされたＰＲＳ値を生成することを特徴とする請求項９に記載の後付キット。
【請求項１１】
前記第３のレンズ担持円板の前記第１のフィルタは、約５５０ｎｍの光の波長で、約８９％のフィルタＬＴ値、及び約５％のフィルタＰＲＳ値を有することを特徴とする請求項１０に記載の後付キット。
【請求項１２】
前記第３のレンズ担持円板の前記第１のフィルタは、約５５０ｎｍの光の波長で、約８７％のフィルタＬＴ値、及び約６％のフィルタＰＲＳ値を有することを特徴とする請求項１０に記載の後付キット。
【請求項１３】
前記第３のレンズ担持円板の前記第１のフィルタは、約５５０ｎｍの光の波長で、約９２％のフィルタＬＴ値、及び約４％のフィルタＰＲＳ値を有することを特徴とする請求項１０に記載の後付キット。
【請求項１４】
前記第３のレンズ担持円板は、少なくとも第２のフィルタと第３のフィルタとを支持する別のセルをさらに含み、
前記第２のフィルタは、約５５０ｎｍの光の波長で、約８７％のフィルタＬＴ値、及び約６％のフィルタＰＲＳ値を有し、
前記第３のフィルタは、約５５０ｎｍの光の波長で、約９２％のフィルタＬＴ値、及び約４％のフィルタＰＲＳ値を有することを特徴とする請求項１１に記載の後付キット。
【請求項１５】
レンズ上のＡＲコーティングの効果を患者にデモンストレーションする方法であって、
（ａ）左目用の器具及び右目用の器具を有するタイプの屈折体であって、それぞれの目用の器具が、
（ｉ）ハウジングと、
（ｉｉ）前記ハウジングを貫通する観察管と、
（ｉｉｉ）前記ハウジングの中に回転可能に配置された度の弱い球面レンズ担持円板と、
（ｉｖ）前記ハウジングの中に回転可能に配置された度の強い球面レンズ担持円板と、を含み、
前記度の弱いレンズ担持円板及び度の強いレンズ担持円板のそれぞれは、前記観察管と同軸に視覚的位置合わせされた状態へ選択的に連続して回転可能であるセルを含み、前記度の弱いレンズ担持円板及び度の強いレンズ担持円板の所定の前記セルは、その中に配置されたレンズを有し、該レンズはレンズ材料で作られ、該レンズ材料はＡＲコーティングを有し、前記ＡＲコートされたレンズ材料は、ＡＲコートされた状態のＬＴ値及びＡＲコートされた状態のＰＲＳ値を生成する、屈折体を提供するステップと、
（ｂ）少なくとも１つのフィルタであって、前記少なくとも１つのフィルタは、前記度の弱いレンズ担持円板及び度の強いレンズ担持円板の前記レンズのいずれかの組み合わせと同軸に視覚的位置合わせされた状態で配置されたときに、前記観察管を通じて、前記ＡＲコーティングのない前記レンズ材料に対する既知のＬＴ値及びＰＲＳ値に実質的に対応する正味のＬＴ値及び正味のＰＲＳ値を生成するように選択されたフィルタＩＲ値、フィルタＬＴ値、及びフィルタＰＲＳ値を有するフィルタ材料から作られている少なくとも１つのフィルタを提供するステップと、
（ｃ）前記左及び右の器具の前記観察管が、前記患者の視線に実質的に位置合わせされた状態にあるように屈折体を患者に対して位置合わせするステップと、
（ｄ）少なくとも１つのＡＲコートされたレンズを前記観察管に視覚的位置合わせされた位置へ前記度の弱いレンズ担持円板と度の強いレンズ担持円板とのうちの少なくとも１つを選択的に回転し、よって前記患者の視線にある対象物が、前記ＡＲコートされたＬＴ値及びＡＲコートされたＰＲＳ値の下で前記ＡＲコートされたレンズを通して前記患者によって知覚されるようにするステップと、
（ｅ）前記少なくとも１つのフィルタを観察管に視覚的位置合わせされた状態に配置し、よって前記患者の視線にある対象物が前記少なくとも１つのフィルタを通して前記患者に知覚され、患者に前記正味のＬＴ値及び前記正味のＰＲＳ値を生成するステップと、
（ｆ）前記少なくとも１つのフィルタを前記観察管と視覚的位置合わせされた状態から取り外し、よって前記患者の視野にある対象物が、前記患者によって前記ＡＲコートされた状態のＬＴ値及び前記ＡＲコートされた状態のＰＲＳ値の下で再度知覚されるステップと、
（ｇ）ステップ〈ｅ〉及び〈ｆ〉を連続して繰り返し、患者が、前記ＡＲコーティングを有するレンズ材料を通して知覚された場合とＡＲコーティングの無いレンズ材料を通して知覚された場合との対象物の間を比較できるようにするステップと、
を備える方法。
【請求項１６】
前記屈折体のそれぞれの器具は、前記ハウジング内に配置された回転可能な予備レンズ担持円板をさらに含み、前記予備レンズ担持円板は複数のセルを有し、前記セルのうちの少なくとも１つは、前記少なくとも１つのフィルタを支持していることを特徴とする請求項１５に記載の方法。
【請求項１７】
前記ステップ〈ｅ〉は、前記予備レンズ担持円板を、前記少なくとも１つのフィルタが支持された位置に回転し、よって前記観察管と視覚的位置合わせされた状態にするステップを含み、前記ステップ〈ｆ〉は、前記少なくとも１つのフィルタを前記観察管と目視で位置合わせされた状態から取り外すために前記予備レンズ担持円板を回転するステップを含むことを特徴とする請求項１６に記載の方法。
【請求項１８】
前記度の弱いレンズ担持円板及び度の強いレンズ担持円板の前記ＡＲコートされたレンズは、約５５０ｎｍの光の波長で、約９８％〜約９９％の範囲のＬＴ値、及び約０．３％〜約０．９％の範囲のＰＲＳ値を有することを特徴とする請求項１５に記載の方法。
【請求項１９】
前記度の弱いレンズ担持円板及び度の強いレンズ担持円板の前記ＡＲコートされたレンズは、約５５０ｎｍの光の波長で、約９８％〜約９９％の範囲のＬＴ値、及び約０．３％〜約０．９％の範囲のＰＲＳ値を有することを特徴とする請求項１７に記載の方法。
【請求項２０】
前記少なくとも１つのフィルタは、約５５０ｎｍの光の波長で、約８９％のフィルタＬＴ値、及び約５％のフィルタＰＲＳ値を有することを特徴とする請求項１９に記載の方法。
【請求項２１】
前記少なくとも１つのフィルタは、約５５０ｎｍの光の波長で、約８７％のフィルタＬＴ値、及び約６％のフィルタＰＲＳ値を有することを特徴とする請求項１９に記載の方法。
【請求項２２】
」
前記少なくとも１つのフィルタは、約５５０ｎｍの光の波長で、約９２％のフィルタＬＴ値、及び約４％のフィルタＰＲＳ値を有することを特徴とする請求項１９に記載の方法。
【請求項２３】
前記予備レンズ担持円板は、第２のフィルタと第３のフィルタとが配置されている少なくとも２つの別のセルを含み、
前記第２のフィルタは、約５５０ｎｍの光の波長で、約８７％のフィルタＬＴ値、及び約６％のフィルタＰＲＳ値を有し、
前記第３のフィルタは、約５５０ｎｍの光の波長で、約９２％のフィルタＬＴ値、及び約４％のフィルタＰＲＳ値を有することを特徴とする請求項２０に記載の方法。
【請求項２４】
レンズ上のＡＲコーティングの効果を患者にデモンストレーションするための屈折体を後付けする方法であって、後付けされる前記屈折体は、左目用の器具及び右目用の器具を有するタイプであり、それぞれの前記器具はハウジングと、前記ハウジングを貫通する観察管と、度の弱い球面レンズ担持円板及び度の強い球面レンズ担持円板と、を含み、度の弱い球面レンズ担持円板及び度の強い球面レンズ担持円板のそれぞれは、前記観察管と同軸に視覚的位置合わせされた状態に、選択的に連続して回転可能なセルを有し、
（ａ） 後付けされている前記屈折体から、前記度の弱い球面レンズ担持円板と、前記度の強い球面レンズ担持円板と、前記予備レンズ担持円板とを取り外すステップと、
（ｂ） 後付けされている前記屈折体の度の前記弱い球面レンズ担持円板と実質的に同一の第１のレンズ担持円板を提供するステップであって、前記第１のレンズ担持円板は複数の度の弱い球面レンズ及びアパーチャを支持するセルを有する、第１のレンズ担持円板を提供するステップと、
（ｃ） 後付けされている前記屈折体の前記度の弱い球面レンズ担持円板と実質的に同一の第２のレンズ担持円板を提供するステップであって、前記第２のレンズ担持円板は複数の度の強い球面レンズ及びアパーチャを支持するセルを有し、前記度の弱い球面レンズと度の強い球面レンズとはレンズ材料から作られ、前記レンズ材料はＡＲコーティングを有し、前記ＡＲコートされたレンズ材料はＡＲコートされた状態のＬＴ値及びＡＲコートされた状態のＰＲＳ値を生成する、第２のレンズ担持円板を提供するステップと、
（ｄ） 前記第１及び第２のレンズ担持円板の前記セルのいずれかの組み合わせと同軸に視覚的位置合わせされた状態で配置されたときに、前記ＡＲコーティングの無い前記レンズ材料の既知のＬＴ値及びＰＲＳ値に実質的に対応する正味のＬＴ値及び正味のＰＲＳ値を生成するように選択されたフィルタＩＲ値、フィルタＬＴ値、及びフィルタＰＲＳ値を有する少なくとも１つのフィルタを提供するステップと、
（ｅ） 取り外された前記度の弱い球面レンズ及び度の強い球面レンズを、後付けされる前記屈折体中の対応する前記第１及び第２のレンズ担持円板に置き換えるステップと、
を備える方法。
【請求項２５】
前記ＡＲコートされたレンズ材料は、約５５０ｎｍの光の波長で、約９８％〜約９９％の範囲のＡＲコートされたＬＴ値、及び約０．３％〜約０．９％の範囲のＡＲコートされたＰＲＳ値を生成することを特徴とする請求項２４に記載の方法。
【請求項２６】
前記後付けされる屈折体のそれぞれの器具は、予備レンズ担持円板をさらに含み、
（ｆ）前記後付けされる屈折体の前記予備レンズ担持円板と実質的に同一な第３のレンズ担持円板であって、前記第３のレンズ担持円板は前記少なくとも１つのフィルタを支持する１つのセルを有する、第３のレンズ担持円板を提供するステップと、
（ｇ）前記予備レンズ担持円板を前記第３のレンズ担持円板と置き換えるステップと、
をさらに備えることを特徴とする請求項２４に記載の方法。
【請求項２７】
前記ＡＲコートされたレンズ材料は、約５５０ｎｍの光の波長で、約９８％〜約９９％の範囲のＡＲコートされたＬＴ値、及び約０．３％〜約０．９％の範囲のＡＲコートされたＰＲＳ値を生成することを特徴とする請求項２６に記載の方法。
【請求項２８】
前記第３のレンズ担持円板の前記少なくとも１つのフィルタは、約５５０ｎｍの光の波長で、約８９％のフィルタＬＴ値、及び約５％のフィルタＰＲＳ値を有することを特徴とする請求項２７に記載の方法。
【請求項２９】
前記第３のレンズ担持円板の前記少なくとも１つのフィルタは、約５５０ｎｍの光の波長で、約８７％のフィルタＬＴ値、及び約６％のフィルタＰＲＳ値を有することを特徴とする請求項２７に記載の方法。
【請求項３０】
前記第３のレンズ担持円板の前記少なくとも１つのフィルタは、約５５０ｎｍの光の波長で、約９２％のフィルタＬＴ値、及び約４％のフィルタＰＲＳ値を有することを特徴とする請求項２７に記載の方法。
【請求項３１】
前記第３のレンズ担持円板は、第２のフィルタを支持する第２のセルと第３のフィルタを支持する第３のセルとをさらに含み、
前記第２のフィルタは、約５５０ｎｍの光の波長で、約８７％のフィルタＬＴ値、及び約６％のフィルタＰＲＳ値を有し、
前記第３のフィルタは、約５５０ｎｍの光の波長で、約９２％のフィルタＬＴ値、及び約４％のフィルタＰＲＳ値を有することを特徴とする請求項２８に記載の方法。
【発明の詳細な説明】
【技術分野】
【０００１】
本発明は、反射防止用のレンズコーティングの効果をデモンストレーションするための装置及び方法に関する。本出願は、２００４年９月２１日に出願された米国仮特許出願第６０／６１１６３８号の利益及び優先権を主張している。
【背景技術】
【０００２】
図７の図表は、眼鏡レンズに一般的に使用される様々なタイプの材料のいくつかを特定している。図表に特定されているように、これら材料のそれぞれは、所定の波長の光に対する既知の、又は確定可能な屈折率、及び既知の、又は限定可能な光透過率（ＬＴ）及び表面あたりの光反射率（ＰＲＳ）を有している。図７において特定されているＩＲ、ＬＴ、及びＰＲＳの値は、５５０ｎｍの波長の光を基準としている。
【０００３】
レンズのＬＴ率が高ければ高いほど、また、レンズのＰＲＳ率が低ければ低いほど、より多くの光がレンズを通じて着用者の目へと通過し、着用者はより少ない反射を経験するということは理解されなければならない。よって、低いＬＴ率及び高いＰＲＳ率を有するレンズによって、着用者はより少ない可視光しか受け取ることができず、より多くの内部及び外部の反射光を、レンズを通じて受け取り、これら反射光はミラー効果、ゴーストイメージ効果、及びぎらつきを生じる場合がある。このような効果はネオンライトで著しい場合が多く、コンピュータ画面若しくはテレビの画面を見るとき、又は夜間の車のライトによって、心地悪さ及び目の疲れを眼鏡の着用者に生じさせてしまう。
【０００４】
よって、高いＬＴ率及び低いＰＲＳ率を有するレンズが眼鏡のためにはより望ましいということが理解されなければならない。図７の図表中に特定されたレンズ材料において、ガラス及びＣＲ３９（登録商標）は最も高いＬＴ率と、最も低いＰＲＳ率を有している。これら材料はレンズに対する良好な光学的品質を有してはいるが、ガラスは比較的重く、脆い材料である。ＣＲ３９（登録商標）は重量においてガラスより軽く、脆くは無いが、望ましい矯正的なレンズの処方を達成するためにはより厚いレンズ厚みを通常必要とする。眼鏡用の薄く、かつ軽いレンズに対する消費者の要求を満足するための努力において、レンズの製造者は、ポリカーボネート、高屈折率プラスティック、高屈折率ガラス、及びごく最近では超高屈折率ガラスからレンズを生産し始めた。残念ながら、これら高屈折率材料のＬＴ率はガラスやＣＲ３９（登録商標）のそれより通常低く、ＰＲＳ率は通常高い。しかし、図７の図表に特定されるように、カールツァイス社によって提供されたＳｕｐｅｒＥＴ（登録商標）コーティング、又は他の好適なＡＲコーティング処理のような、多層反射防止（ＡＲ）コーティングで高屈折率材料をコーティングすることによって、ＬＴ率及びＰＲＳ率をガラス及びＣＲ３９（登録商標）レンズのＬＴ率及びＰＲＳ率に匹敵するように、若しくはそれらを超えるように改善することができる。
【０００５】
残念なことに、米国においては、ＡＲコーティングで達成される実質的な利益にもかかわらず、処方によって調整された眼鏡レンズ全体のほぼ２０％のみがＡＲコーティングを施されているにすぎない。しかし、他の国や地域では、販売されている眼鏡の多くがＡＲコーティングを施されている。例えば、ヨーロッパでは、処方によって調整された眼鏡レンズ全体のほぼ７５％がＡＲコーティングを施されている。日本では、処方によって調整された眼鏡レンズ全体のほぼ９０％がＡＲコーティングを施されている。
【０００６】
他国とは反対に、米国内で販売されたＡＲコーティングされた眼鏡のそのような低い比率の理由は、幾分はＡＲコーティングされたレンズの追加的な価格、及び処理されるレンズにＡＲコーティングを適用するために必要とされる装置及び材料をまかなうためのレンズの処方の注文を処理する研究所によって必要とされる設備投資が無いことによる危険性がある。しかし、多くの個人が眼鏡のためにＡＲコーティングされたレンズを購入しない方を選んだ主な理由は、従前は、販売の時点で個人がＡＲコーティングの有無の間の視力における違いを真に比較するための方法が無かったという事実によるものと考えられる。もしもほとんどの個人がＡＲコーティングされたレンズがＡＲコーティングされていないレンズを凌駕して達成した視力における改善を真に経験する機会を与えられたならば、ほとんどの個人は価格の増加にもかかわらず、眼鏡のレンズにＡＲコーティング処理を施すように選択するであろうと考えられる。
【０００７】
従前には、視力検査医、眼科医、及び眼鏡の小売業者の代表者は、ＡＲコーティングの利益を証明し、視覚検査具及びデモンストレーション用展示品を含む様々なタイプの店頭展示を信頼することによって、患者又は客がレンズへのＡＲコーティングを選ぶように説得しようとしていた。言うまでも無く、眼鏡のレンズのＡＲコーティングの利益をまだ経験したことのないほとんどの個人は、店頭において施術者から、特に小売店販売員からの、ＡＲコーティングの主張された利益をしつこく説明する明らかな“売り口上”を聞かされたときにいくらか冷笑的になる。
【０００８】
客の冷笑は、ＡＲコーティングされたレンズの利点をデモンストレーションすることを趣旨とする、現在入手可能な店頭での展示によっては解消されない。店頭での展示の１つのタイプは、並列した一方はＡＲコーティングを有し、他方はＡＲコーティングを有していないレンズの間の視力における違いを示すことを趣旨とする写真を含んでいる。別の趣旨は、一方のレンズがＡＲコーティングされていて、非常に明るく透明であるのに対し、他方のレンズはＡＲコーティングされておらず、ぎらつく屈折を示し、人の目が同様には見えないような眼鏡を着用した人の写真によって、ＡＲコーティングされたレンズの外観上の利益をデモンストレートすることである。店頭におけるＡＲコーティングの販売促進のために業界で採用されてきた、また別のタイプのデモンストレーションのための展示は、レンズの半分がＡＲコーティングされたサンプルレンズを提供するものである。しかし、このタイプのデモンストレーションのための展示の有する問題点は、ＡＲコーティングされていない半分のレンズが通常傷がはいっているか、汚れているか、又は品質の悪いレンズであると客に受け取られてしまうということによって、客の冷笑の程度が強くなってしまうことがよくあり、よって、ＡＲコーティングがその人たちの特定のレンズの処方を有する客に真に利益となるかを正確には表明していないということである。
【特許文献１】米国特許第３４９８６９９号明細書
【特許文献２】米国特許第２９９９０６５号明細書
【特許文献３】米国特許第２９６８２１３号明細書
【発明の開示】
【発明が解決しようとする課題】
【０００９】
したがって、個々の見込みのある客に対して、眼鏡のレンズへのＡＲコーティングの利益をデモンストレートすることを趣旨とする、現状の装置及び方法に関する嘲笑及び欠点を克服する、眼鏡レンズにＡＲコーティングを施す利益をデモンストレートするための装置及び方法に対する必要がある。
【課題を解決するための手段】
【００１０】
患者の眼鏡レンズの処方における反射防止（ＡＲ）コーティングの効果を、患者にデモンストレーションするための装置、及び方法である。この装置は、屈折体、又は屈折体のための後付キットを備え、少なくとも度の強い球面レンズと度の弱い球面レンズとが高い屈折率（ＩＲ）を有して設けられているとともに、高い光透過（ＬＴ）率と低い表面積あたりの反射（ＲＰＳ）率とを生じる反射防止コーティングを施されていることを特徴としている。さらに、この装置は、屈折体の観察管に視覚的位置合わせされた状態に着脱可能に設置可能な、少なくとも１つのフィルタを含んでいる。この少なくとも１つのフィルタは、度の強い球面レンズと度の弱い球面レンズとのいずれかと組み合わせて、観察管と位置合わせされて配置されたときに、ＡＲコーティング処理の無い患者の眼鏡レンズに使用されるレンズに対応する正味のＬＴ値及び正味のＰＲＳ値を実現する、ＩＲ値、ＬＴ値、及びＰＲＳ値を有するように選択されている。本発明にかかる方法は、患者の眼鏡レンズの処方におけるＡＲコーティングの効果を、患者にデモンストレーションするための複数のステップと、そのようなデモンストレーションを可能にするための屈折体を後付するための方法を備えている。
【発明を実施するための最良の形態】
【００１１】
図１〜３は、参照符号１０によって指定された、Ｗｉｌｋｉｎｓｏｎによって発明された特許文献１に開示された屈折体を図示しており、この特許文献１は参照によりその全体が個々に組み込まれている。特許文献１に開示された屈折体１０の市販の実施形態は、現在Ｒｅｉｃｈｅｒｔ  Ｏｐｈｔｈａｌｍｉｃ  Ｉｎｓｔｒｕｍｅｎｔｓから、Ｐｈｏｒｏｐｔｏｒ（登録商標）（以下、“Ｒｅｉｃｈｅｒｔの屈折体”という）の下で製造され、販売されている。ＡＲレンズコーティングの効果をデモンストレーションするための本発明の装置及び方法は、特にＲｅｉｃｈｅｒｔの屈折体について開示されていたが、現在既知であるか、後に開発されるかにかかわらず、別のタイプの屈折体に同等に適用可能であることは理解されなければならない。結果として、本発明の装置及び方法は、特許請求の範囲に別段に特に規定されたものを除いて、特定のタイプの屈折体、若しくは特定のタイプの屈折体の使用に限られると解釈されるべきではない。
【００１２】
屈折体１０は、左目用の器具１２及び右目用の器具１４を含んでいる。２つの器具１２、１４は、本質的には互いに鏡面対称となっており、よって１つの器具の構成要素のみが以降に詳細に論じられている。図１において屈折体１０は、前面、又は装置の施術者の側から図示されている。装置の患者の側は以降において後方と称される。屈折体１０の左右の器具１２、１４は、支持部材１６によって並んで保持されている。支持部材１６は、患者の眼に対して器具１２、１４の望ましい操作を可能とし、通常はヨーク１７、支持ブリッジ１９及び水準器２１を含んでいる。
【００１３】
それぞれの器具１２，１４の主な構成要素が図２及び図３に図示されており、球面レンズアセンブリ１８、筒状レンズアセンブリ２０、及び交差筒状レンズ２２を含んでいる。器具１２、１４のそれぞれは、観察管２３をさらに含んでいる。使用の際には、患者の頭は装置の後部に位置し、患者の左右の眼は左右の器具１２、１４それぞれの左右の観察管２３と実質的に位置合わせされて配置されている。
【００１４】
球面レンズアセンブリ１８は、図２及び図３に最も良く図示されており、１対のレンズ担持円板２６、２８が同軸に回転可能に取り付けられている球面レンズハウジング２４を含んでいる。ハウジング２４は、観察管２３の後端を形成する観察アパーチャ２７を含んでいる。図２及び図３を参照すると、最も前方のレンズ担持円板２６は１組の度の弱い球面レンズ３０を保持し、よって産業界において“度の弱い球面円板”として通常は参照されている。度の弱い球面担持円板２６の分解斜視図である図４に最もよく示されているように、円板は半径方向に離間したセル３２の円状の列を含み、それぞれの連続するセル３２は、度数が増加する度の弱い球面レンズ３０を支持している。通常、セル３２の内の１つは空いたままにされ、よってブランクアパーチャ３４を形成している。図２及び図３に図示されているように、最も後ろのレンズ担持円板２８は１組の度の強い球面レンズ３６（図５）を保持し、よって産業界において“度の強い球面ディスク”として通常は参照されている。度の強い球面担持円板２８の分解斜視図である図５に最もよく示されているように、円板は半径方向に離間したセル３８の円状の列を含み、それぞれの連続するセル３８は、度数が増加する度の強い球面レンズ３６を支持している。通常セル３８の内の１つは空いたままにされ、よってブランクアパーチャ４０（図５）を形成している。レンズ担持円板２６、２８のレンズ３０、３６及びブランクアパーチャ３４、４０は、観察管２３に視覚的位置合わせされた状態で、選択的及び連続的に回転可能である。
【００１５】
球面レンズアセンブリ１８は、球面レンズ円板２６、２８に同軸に配置された予備レンズ担持円板４２をさらに含んでいる。また、予備円板４２は、予備レンズ担持円板４２の分解斜視図である図６に最もよく図示されているように、複数のセル４４を含んでいる。Ｒｅｉｃｈｅｒｔの屈折体の実施形態においては、セル４４のうちの２つは通常、レッドレンズ５０及び＋０．１２ディオプトルのレンズ５２を含む異なるタイプの予備レンズを支持している。また、球面レンズ円板２６、２８のように、予備レンズ円板４２もまたハウジング２４の中で回転可能であり、セル４４のそれぞれは、観察管２３に視覚的位置合わせされた状態で、選択的及び連続的に回転可能とすることができる。
【００１６】
観察管２３との視覚的位置合わせのための、度の弱い球面レンズ円板２６、度の強い球面レンズ円板２８、及び予備レンズ円板４２のそれぞれの望ましいセル３２、３８、４４の選択は、それぞれの担持円板の回転によって制御されている。度の弱い球面レンズ円板２６は、その露出されたぎざぎざのある端部５４への直接接触によって回転される。度の強い球面レンズ担持円板２８は、度の強い球面レンズの制御ノブ５６を回すことによって回転される。予備のレンズ担持円板は、予備レンズの制御ノブ５８を回すことによって回転される。円板２６、２８、４２の回転の効果を生じる内部構造部品は、特許文献２に十分に開示されており、これもまたその全体が参照によってここに組み込まれている。
【００１７】
屈折体１０のための筒状レンズアセンブリ２０及び交差筒状配置２２の構造及び操作は、特許文献１及び特許文献３に完全に説明されており、特許文献３もまた参照によってその全体がここに組み込まれている。当然そのようなものとして、筒状レンズアセンブリ２０及び交差筒状配置２２に関する屈折体１０の構造及び操作についてのさらなる説明はここで話されないが、特許文献１及び、前述の特許文献２及び特許文献３に開示されたように、筒状レンズアセンブリ２０、交差筒状配置２２及び屈折体１０のすべての他の特徴及び機能は、はっきりとここに転載するかのようにここに開示されているものと考えられるということが理解されよう。
【００１８】
本発明の装置の好ましい実施形態において、度の弱い球面円板２６及び度の強い球面円板２８のレンズ３０、３６のため、及び筒状レンズアセンブリ２０及び交差筒状配置２２を備える他のいずれのレンズのために使用される材料は、好ましくは１．８以上のＩＲ値を有する超高屈折率ガラスである。レンズは、カールツァイス社によって市販されているＳｕｐｅｒＥＴ（登録商標）の多層ＡＲコーティングのようなＡＲコーティング処理、又は他の好適なＡＲコーティング処理を施されている。したがって、入手可能である最も高い屈折率のうちの１つを有する材料で作られた屈折体１０のすべてのレンズ、ＡＲコーティングで処理されたそれぞれのレンズ、患者の視野の欠点を修正するために選択されたレンズの適切な組み合わせで、患者は、患者のレンズの処方において可能な、非常に良好な視力を達成する条件下において、観察管を通じて参照物体を見ることができる、ということが理解されるべきである。
【００１９】
患者の眼鏡レンズ上のＡＲコーティングの有利な効果を患者にデモンストレートするために、ＡＲコーティングの知覚された効果は、観察管２３に視覚的位置合わせされたフィルタを設けることによって、観察管２３に位置合わせされたレンズから除去される。フィルタは観察管２３を通じる透過光の総量を削減するように作用し、患者によって知覚される屈折光の総量を増加させ、処方されたレンズにＡＲコーティングを施すことを選択しない場合に経験されるような視力の違いの正確な再現を提供する。
【００２０】
好ましい実施形態において、好ましくは３つのフィルタ１００、１０２、１０４が施術者の選択のために入手可能であり、ＡＲコーティングされたレンズのＩＲ値及びＰＲＳ値に適切な“補正”を提供し、患者のＡＲコーティングの無い眼鏡のレンズを正確に再現する。よって、図７に示すように、第１のフィルタ１００は、ガラス及びＣＲ３９（登録商標）のレンズ材料のＡＲコーティングの無い状態のＩＲ値、ＬＴ値、及びＰＲＳ値に対応する、屈折体１０のＡＲコーティングされたレンズと組み合わせて、正味のＩＲ値、正味のＬＴ値、及び正味のＰＲＳ値を生成するようなＩＲ値、ＬＴ値、及びＰＲＳ値を、好ましくは有している。第２のフィルタ１０２は、ポリカーボネート、高屈折率ガラス（１．６）、及び高屈折率プラスティックのレンズ材料のＡＲコーティングの無い状態のＩＲ値、ＬＴ値、及びＰＲＳ値に対応する、屈折体１０のＡＲコーティングされたレンズと組み合わせて正味のＩＲ値、正味のＬＴ値、及び正味のＰＲＳ値を生成するようなＩＲ値、ＬＴ値、及びＰＲＳ値を、好ましくは有している。第３のフィルタ１０４は、超高屈折率プラスティック及び高屈折率ガラス（１．７）のＡＲコーティングの無い状態のＩＲ値、ＬＴ値、及びＰＲＳ値に対応する、屈折体１０のＡＲコーティングされたレンズと組み合わせて正味のＩＲ値、正味のＬＴ値、及び正味のＰＲＳ値を生成するようなＩＲ値、ＬＴ値、及びＰＲＳ値を、好ましくは有している。
【００２１】
上記に規定された３つのフィルタのみが、現在眼鏡のガラスに対して使用されている７つの異なる材料のそれぞれのための補正要素を提供するのに必要と思われることが理解されるべきである。これは、ＩＲ値、ＬＴ値、及びＰＲＳ値が、図７に図示されるようにグループとされたときに非常に密接に位置合わせされているので、どのような違いも患者にとって認知されそうに無いという事実による。
【００２２】
好ましい実施形態において、好ましくは３つのフィルタ１００、１０２、１０４は予備レンズ担持円板上に配置され、これらフィルタを、前述のように施術者が予備レンズ制御ノブ５８を回転することによって、選択的に回転して観察管と視覚的位置合わせすることができる。Ｒｅｉｃｈｅｒ  Ｒｅｆｒａｃｔｏｒの実施形態に関しては、好ましくは３つのフィルタ１００、１０２、１０４の内の１つがブランクアパーチャ４６、４８の内の１つに配置され、残りの２つのフィルタ１０２、１０４は、施術者によってほとんど使われることが無く、よって施術者によって失われることの無いレッドレンズ及び＋０．１２ディオプトルレンズをこれまでは支持していたセル４４の中に挿入されている。このように、予備レンズ担持円板４２の既存のセル４４の中にフィルタ１００、１０２、１０４を挿入することによって、所定の円板の既存のレンズを取り外し、使用可能なセル４４の中へフィルタを挿入することを除いて、円板４２の切断又は他の物理的な変型は必要とされない。
【００２３】
代替的な実施形態として、フィルタ１００、１０２、１０４は、観察管に亘って、器具の前部若しくは後部、またはその両方に配置されるように設けられた別々の部材とすることはできる。図８に図示するように、そのような代替的な実施形態においては、ソケット７０が屈折体に器具の前部若しくは後部、又はその両方に固定され、このソケットの中にフィルタ１００、１０２，１０４が滑動可能に挿入されている。
【００２４】
本発明の装置の前述の好ましい実施形態を使用して、患者にレンズのＡＲコーティングの効果をデモンストレーションする好ましい方法は、患者の適切な矯正レンズが選択された後に、左右の器具１２、１４の観察管２３と視覚的位置合わせされた状態にまだ配置されている、選択されたＡＲコーティングを施されたレンズを有した状態で、施術者によって行われる。患者が観察管を通じて見ると、施術者は予備レンズ担持体４２を選択的に回転し、患者の処方の眼鏡のために試用されるレンズのタイプのＡＲコーティングされていないＩＲ値、ＬＴ値及びＰＲＳ値に対応する正味のＩＲ地、正味のＬＴ値、及び正味のＰＲＳ値に結果的になる特性を有するフィルタ１００、１０２、１０４のうちの１つを観察管２３に視覚的に位置合わせされた状態に配置する。患者が引き続いて観察管２３を通じてみると、施術者は予備レンズ担持体を選択的に回転し、前に選択されたフィルタ１００、１０２、１０４を観察管２３と視覚的に位置合わせされた状態から取り外し、患者が観察管２３を通じてＡＲコーティングされたレンズを通して、レンズのＡＲコーティングされたＩＲ値、ＡＲコーティングされたＬＴ値、及びＡＲコーティングされたＰＲＳ値の下で対象物体を再び知覚することができる。前述のステップは連続して必要に応じて何度も繰り返すことができ、患者は、ＡＲコーティングで処理されたレンズの視力及び他の知覚された効果の、ＡＲコーティングで処理されていない同じ処方のレンズで経験される視力及び効果の正確な再現に対する違いを比較することができる。
【００２５】
ＡＲコーティングされたレンズの効果をデモンストレーションする代替的な方法として、代替的な実施形態に関して、施術者がその中にフィルタが配置された予備レンズ担持体を回転する代わりに、施術者は単にソケットの中に対応するフィルタを挿入することができる。
【００２６】
本発明の装置及び方法の所定の最良の実施形態のみが詳細に上述されてきたが、当業者は、多くの変型がこの発明の新規な教唆及び利点から実質的に離れることなく可能であるということを簡単に理解できるであろう。したがって、そのようなすべての変型は、特許請求の範囲に規定されるこの発明の技術的範囲に含まれるように意図されている。
【図面の簡単な説明】
【００２７】
【図１】本発明の装置の好ましい実施形態が組み込まれている従来の屈折体の正面図であり、右目用の器具は部分的に切り取られて内部の伝動装置と器具を相互に連結する支持部材が示された図である。
【図２】図１の２−２線に沿った右目用の器具の断面図であり、右目用の球面レンズアセンブリが組立図の形で示され、交差筒状配置が断面図の形で示された図である。
【図３】図１の３−３線に沿った右目用の器具の断面図であり、右目用の球面アセンブリが部分断面図の形で示され、筒状レンズアセンブリが断面図で示され、交差筒状配置が部分的に断面図で示された図である。
【図４】図１の屈折体の度の弱い球面レンズの担持円板の分解斜視図である。
【図５】図１の屈折体の度の強い球面レンズの担持円板の分解斜視図である。
【図６】図１の屈折体の予備レンズ担持円板の分解斜視図であり、１つの空のアパーチャ−への挿入と、レッドレンズ及び＋．１２Ｄレンズの代わりのセルへの挿入とのために配置された、本発明の装置及び方法において使用されるフィルタを図示した図である。
【図７】レンズの材料を特定する図表であって、ＡＲコーティング有するレンズ材料及びＡＲコーティングを有しないレンズ材料対応するＩＲ値、ＬＴ値、ＰＲＳ値が示された図である。
【図８】観察管に視覚的位置合わせされた状態に配置されたフィルタの代替的な実施形態を図示した図である。
【符号の説明】
【００２８】
１０・・・屈折体
３６・・・度の強い球面レンズ
３０・・・度の弱い球面レンズ
２３・・・観察管
１００、１０２、１０４・・・フィルタ
１２・・・左目用の器具
１４・・・右目用の器具
２６、２８・・・レンズ担持円板
４２・・・予備レンズ担持円板
３２、３８、４４・・・セル
３４、４０・・・アパーチャ
【図１】
2008513843.tif 000003
【図２】
2008513843.tif 000004
【図３】
2008513843.tif 000005
【図４】
2008513843.tif 000006
【図５】
2008513843.tif 000007
【図６】
2008513843.tif 000008
【図７】
2008513843.tif 000009
【図８】
2008513843.tif 000010
【手続補正書】
【提出日】平成19年5月25日(2007.5.25)
【手続補正１】
【補正対象書類名】図面
【補正対象項目名】全図
【補正方法】変更
【補正の内容】
【図１】
2008513843.tif 000011
【図２】
2008513843.tif 000012
【図３】
2008513843.tif 000013
【図４】
2008513843.tif 000014
【図５】
2008513843.tif 000015
【図６】
2008513843.tif 000016
【図７】
2008513843.tif 000017
【図８】
2008513843.tif 000018
【国際調査報告】
2008513843.tif 000019
2008513843.tif 000020